(57)【要約】【課題】構成が簡素で、保管対象物を正確に管理することができる電磁シールド内の管理システムを提供する。【解決手段】電磁シールド内の管理システム１０は、内側空間Ｚを電磁シールドする開閉可能なシールド部Ｓと、内側空間Ｚに設けられ、内側空間Ｚの保管対象物Ｈに付けられたＲＦＩＤタグＴからの電波を受信するアンテナ１４と、シールド部Ｓが閉のときにアンテナ１４で受信した信号に基づいて内側空間Ｚからの保管対象物Ｈの出入を管理する管理部１６とを備える。【選択図】図１
2019059572.tif 000002
【特許請求の範囲】
【請求項１】
内側空間を電磁シールドする開閉可能なシールド部と、
前記内側空間内に配置され、前記内側空間内の保管対象物に付けられたＲＦＩＤのタグからの電波を受信する受信部と、
前記シールド部が閉のときに前記受信部で受信した信号に基づいて前記内側空間からの前記保管対象物の出入を管理する管理部と
を備えることを特徴とする電磁シールド内の管理システム。
【請求項２】
許可された者からのアクセスであると認識されると、前記シールド部を構成する開閉部を解錠するインターロックを備えることを特徴とする請求項１に記載の電磁シールド内の管理システム。
【請求項３】
前記管理部は前記シールド部の外側に配置され、
前記受信部と前記管理部とは、前記シールド部を貫通する有線ケーブルで接続されていることを特徴とする請求項１または２に記載の電磁シールド内の管理システム。
【請求項４】
前記管理部に接続された外部通信ユニットを備え、前記管理部の情報が前記外部通信ユニットから外部へ送信可能であることを特徴とする請求項３に記載の電磁シールド内の管理システム。
【請求項５】
前記管理部と通信可能でありアクセスを感知すると撮影を開始する監視カメラを備えることを特徴とする請求項３または４の何れか１項に記載の電磁シールド内の管理システム。
【請求項６】
前記保管対象物を保管する保管庫を前記内側空間内に備えることを特徴とする請求項１〜５の何れか１項に記載の電磁シールド内の管理システム。
【請求項７】
前記受信部としてアンテナが前記内側空間内に配置されたことを特徴とする請求項６に記載の電磁シールド内の管理システム。
【請求項８】
前記受信部としてアンテナが前記保管庫内に配置されたことを特徴とする請求項７に記載の電磁シールド内の管理システム。
【請求項９】
前記保管庫内の状況を表示する表示部を備えることを特徴とする請求項６〜８の何れか１項に記載の電磁シールド内の管理システム。
【請求項１０】
前記保管庫として冷蔵庫、冷凍庫、インキュベータ、または、試験槽を備えることを特徴とする請求項９に記載の電磁シールド内の管理システム。
【請求項１１】
前記内側空間を排気する排気ラインと、前記内側空間に給気する給気ラインとを備えることを特徴とする請求項６〜１０の何れか１項に記載の電磁シールド内の管理システム。
【請求項１２】
前記管理部と通信可能で前記保管対象物の重量を測定する重量計を備えることを特徴とする請求項６〜１１の何れか１項に記載の電磁シールド内の管理システム。
【発明の詳細な説明】
【技術分野】
【０００１】
本発明は、電磁シールド内に収容された保管対象物を管理する電磁シールド内の管理システムに関する。
【背景技術】
【０００２】
例えば冷蔵庫のように、物品を収納して保管する種々の保管庫が提案されている（例えば特許文献１参照）。このような保管庫では、物品を出し入れする際に物品に関する情報を物品情報読み取り装置が読み取り、物品が入庫状態であるか出庫状態であるかのステータス情報が物品に対応付けされ、保管庫内での物品の保管状態を管理することが多い。
【先行技術文献】
【特許文献】
【０００３】
【特許文献１】特許第３６３９４０８号公報
【発明の概要】
【発明が解決しようとする課題】
【０００４】
ところで、この種の保管庫の内部では、通常、物品を出し入れする際に物品に関する情報を物品情報読み取り装置が読み取っている。このため、出し入れする際に物品情報読み取り装置が読み取れなかったときに正確な物品管理ができないというおそれがある。
【０００５】
本発明は、上記に鑑みてなされたものであり、構成が簡素で保管対象物を正確に管理することができる電磁シールド内の管理システムを提供することにある。
【課題を解決するための手段】
【０００６】
上記課題を達成するため、請求項１に記載の電磁シールド内の管理システムは、内側空間を電磁シールドする開閉可能なシールド部と、前記内側空間内に設けられ、前記内側空間内の保管対象物に付けられたＲＦＩＤのタグからの電波を受信する受信部と、前記シールド部が閉のときに前記受信部で受信した信号に基づいて前記内側空間からの前記保管対象物の出入を管理する管理部とを備えることを特徴とする。
【０００７】
請求項１に記載の電磁シールド内の管理システムでは、電磁シールドされた内側空間内かに受信部が設けられているので、シールド部が閉のときに受信部で受信する信号は、内側空間内の保管対象物に付けられたＲＦＩＤのタグからの電波のみである。従って、ＲＦＩＤタグＴが付けられた保管対象物Ｈが電磁シールド内から出し入れされることを正確に管理することができる。
【０００８】
請求項２に記載の電磁シールド内の管理システムは、許可された者からのアクセスであると認識されると、前記シールド部を構成する開閉部を解錠するインターロックを備えることを特徴とする。
【０００９】
請求項２に記載の電磁シールド内の管理システムでは、許可された者のみが開閉部を開にすることができる。
【００１０】
請求項３に記載の電磁シールド内の管理システムでは、前記管理部は前記シールド部の外側に配置され、前記受信部と前記管理部とは、前記シールド部を貫通する有線ケーブルで接続されていることを特徴とする。
【００１１】
請求項３に記載の電磁シールド内の管理システムでは、電磁シールドされる内側空間に配置された受信部と、電磁シールドの外側に配置された管理部との通信が可能になる。
【００１２】
請求項４に記載の電磁シールド内の管理システムは、前記管理部に接続された外部通信ユニットを備え、前記管理部の情報が前記外部通信ユニットから外部へ送信可能であることを特徴とする。
【００１３】
請求項４に記載の電磁シールド内の管理システムでは、内側空間の受信部の受信データを外部へ送信することが可能になる。
【００１４】
請求項５に記載の電磁シールド内の管理システムは、前記管理部と通信可能でありアクセスを感知すると撮影を開始する監視カメラを備えることを特徴とする。
【００１５】
請求項５に記載の電磁シールド内の管理システムでは、不審者がアクセスしたときの記録をとることが容易であり、安全管理上で更に好ましい。
【００１６】
請求項６に記載の電磁シールド内の管理システムは、前記保管対象物を保管する保管庫を前記内側空間内に備えることを特徴とする。
【００１７】
請求項６に記載の電磁シールド内の管理システムでは、市販の保管庫を流用することが可能になる。
【００１８】
請求項７に記載の電磁シールド内の管理システムは、前記受信部としてアンテナが前記内側空間内に配置されたことを特徴とする。
【００１９】
請求項７に記載の電磁シールド内の管理システムでは、内側空間内であれば保管庫の外側であっても任意の場所にアンテナを配置可能である。
【００２０】
請求項８に記載の電磁シールド内の管理システムは、前記受信部としてアンテナが前記保管庫内に配置されたことを特徴とする。
【００２１】
請求項８に記載の電磁シールド内の管理システムでは、保管庫内の保管対象物のＲＦＩＤのタグからの電波を充分に受信し易くなる。
【００２２】
請求項９に記載の電磁シールド内の管理システムは、前記保管庫内の状況を表示する表示部を備えることを特徴とする。
【００２３】
請求項９に記載の電磁シールド内の管理システムでは、保管庫内の状況を保管庫外側から簡単に把握することができる。
【００２４】
請求項１０に記載の電磁シールド内の管理システムは、前記薬品保管庫として冷蔵庫、冷凍庫、インキュベータ、または、試験槽を備えることを特徴とする。
【００２５】
請求項１０に記載の電磁シールド内の管理システムでは、市販の冷蔵庫、冷凍庫、インキュベータ、または試験槽を流用することが可能である。
【００２６】
請求項１１に記載の電磁シールド内の管理システムは、前記内側空間を排気する排気ラインと、前記内側空間に給気する給気ラインとを備えることを特徴とする。
【００２７】
請求項１１に記載の電磁シールド内の管理システムでは、内側空間を効果的に空冷することができる。
【００２８】
請求項１２に記載の電磁シールド内の管理システムは、前記管理部と通信可能で前記保管対象物の重量を測定する重量計を備えることを特徴とする。
【００２９】
請求項１２に記載の電磁シールド内の管理システムでは、１つの保管対象物の一部を使用しても、その使用量を管理部１６が算出することができる。
【発明の効果】
【００３０】
本発明によれば、構成が簡素で保管対象物を正確に管理することができる電磁シールド内の管理システムを提供できる。
【図面の簡単な説明】
【００３１】
【図１】第１実施形態に係る電磁シールド内の管理システムを示す模式的な斜視図である。
【図２】第１実施形態で、電磁シールド内の管理システムの適用範囲を説明する模式的な斜視図である。
【図３】第２実施形態に係る電磁シールド内の管理システムを示す模式的な斜視図である。
【図４】第２実施形態に係る電磁シールド内の管理システムの変形例を示す模式的な斜視図である。
【図５】第２実施形態に係る電磁シールド内の管理システムの変形例を示す模式的な斜視図である。
【図６】第３実施形態に係る電磁シールド内の管理システムを示す模式的な斜視図である。
【図７】第４実施形態に係る電磁シールド内の管理システムを示す模式的な斜視図である。
【図８】第５実施形態に係る電磁シールド内の管理システムを示す模式的な斜視図である。
【発明を実施するための形態】
【００３２】
以下、図面を用いて、本発明を実施するための形態を説明する。なお、以下の説明では、すでに説明したものと同一または類似の構成要素には同一または類似の符号を付し、その詳細な説明を適宜省略している。
【００３３】
［第１実施形態］
まず、第１実施形態を説明する。図１は、本実施形態に係る電磁シールド内の管理システムを示す模式的な斜視図である。本実施形態に係る電磁シールド内の管理システム１０は、内側空間Ｚを電磁シールドする開閉可能なシールド部Ｓと、内側空間Ｚ内に配置され、内側空間Ｚ内の保管対象物ＨであるボトルＢａ〜Ｂｚにそれぞれ付けられたＲＦＩＤのタグ（以下、ＲＦＩＤタグという）Ｔａ〜Ｔｚからの電波を受信するアンテナ１４（受信部）と、シールド部Ｓが閉のときにアンテナ１４で受信した信号に基づいて内側空間Ｚからの保管対象物Ｈの出入を管理する管理部１６とを備える。
【００３４】
本実施形態では、内側空間Ｚに薬品保管庫１８（保管庫）が配置されており、保管対象物Ｈとして１つ或いは複数のボトルＢが薬品保管庫１８に保管されている。このボトルＢには薬品として液状薬品が収容されている。そして本実施形態では、この薬品保管庫１８は、内部温度を制御して管理することができる箱型の保管庫であり、小型の冷蔵庫１８ｘ、冷凍庫１８ｙ、インキュベータ１８ｚなどが例として挙げられる。
【００３５】
図１に示すように、この薬品保管庫１８は、本体１８ａと、ドア（扉）１８ｄとを備える。本体１８ａとドア１８ｄは、金属製であり、例えばＳＵＳ（ステンレス鋼）により作られている。本体１８ａは、好ましくは箱型の収容体である。図１に示すように、本体１８ａは、上面１８ｅと、下面１８ｆと、左右の側面１８ｇ、１８ｈと、背面１８ｉとを有している。
【００３６】
本体１８ａは、内部に収容部２０を有する。本体１８ａの前面側（ドア１８ｄ側）には、ボトルＢ等を収容部２０内へ出し入れするための縦長の長方形の開口部が形成されている。図１と図２に示すように、例えば片開き式の長方形状のドア１８ｄは、本体１８ａに対して、ヒンジ部を用いて、開閉可能に取り付けられている。本体１８ａ内の収容部２０は、ドア１８ｄにより開口部を塞ぐことで、外部に対する密封性と断熱性を保持している。
【００３７】
なお、ドア１８ｄは、本体１８ａの収容部２０内が見えるように、透光性を有する例えば長方形状の観測窓を有していてもよい。この観測窓には、例えば透明なペアガラスがはめ込まれている。観測窓としてペアガラスを用いることで、普通の一枚板のガラスを用いる場合に比べて、ドア１８ｄは、断熱性を確保でき、収容部２０内の冷却状態を維持し易い。
【００３８】
アンテナ１４は、本実施形態では小型薄板状であり、薬品保管庫内の例えば背面側、側面側、底側にそれぞれ配置されている。なお、アンテナ１４の配置個数や配置位置は、薬品保管庫１８の寸法やＲＦＩＤタグＴからの受信電波の強度などに応じて適宜に変更可能である。また、薬品保管庫１８のハウジングは電磁シールドされていないので、アンテナ１４は、薬品保管庫１８の外側であっても内側であっても電磁シールド内（すなわち内側空間内）の任意の位置に設置可能である。
【００３９】
シールド部Ｓは、本実施形態ではラック状（ボックス状）であり、薬品保管庫１８の周囲（上下左右前後）を全て電磁的に遮蔽して内側空間Ｚを覆っている。従って、薬品保管庫１８内も電磁シールドしている。よって、薬品保管庫１８の電磁シールドが冷蔵庫１８ｘのように不十分であっても、内側空間Ｚは薬品保管庫１８内も含めて電磁シールドされている。そして、シールド部Ｓは薬品保管庫１８のドア１８ｄ側にシャッター２４を開閉部として備えており、開閉のためにシャッター２４を上下させる取っ手２４ｈがシャッター下部に設けられている。シャッター２４も電磁シールドする機能を備えており、シャッター２４が閉じているときには内側空間Ｚが完全に電磁シールドされる。
【００４０】
このシールド部Ｓの外側に、上述した管理部１６が設置されている。各アンテナ１４と管理部１６とはそれぞれ有線ケーブルＫで電気接続されている。有線ケーブルＫはシールド部Ｓを貫通しており、シールド部Ｓでは、有線ケーブルＫの貫通部分に漏磁防止策が施され、貫通部分と有線ケーブルＫとの隙間から内側空間Ｚに電磁波が入らない構成にされている。そして有線ケーブルＫは防磁ケーブル（具体的には防磁用の金属製のメッシュが配置されている）であり、薬品保管庫内も含めた内側空間Ｚでは、シールド部Ｓの外側から有線ケーブルＫを介して電磁波が混入することや漏出（漏磁）することが防止されている。
【００４１】
薬品保管庫１８に電気接続され、電気的にグランドに接地されている電源ケーブル（図示せず）も同様に防磁ケーブルであり、薬品保管庫内も含めた内側空間Ｚでは、シールド部Ｓの外側から電源ケーブルを介して電磁波が混入することや漏出することが防止されている。そしてシールド部Ｓは、電源ケーブルが貫通している部分から漏磁しない構成にされている。
【００４２】
本実施形態では、薬品保管庫１８の収容部２０内に収容される各ボトルＢａ〜ｚには、各ボトルＢに関する個別の情報を発信するためのＲＦＩＤタグＴａ〜ｚがそれぞれ貼り付けられている。ＲＦＩＤタグＴａ〜ｚは、それぞれ、ボトルＢａ〜ｚの個別情報を記憶している。そして、収容部２０内では、アンテナ１４が、各ＲＦＩＤタグＴａ〜ｚから送信されてくる各ボトルＢａ〜ｚの個別情報を無線通信により受信して、管理部１６に伝達する。
【００４３】
従って、ＲＦＩＤタグＴａ〜ｚがアンテナ１４から無線で問い合わせを受けると、各ＲＦＩＤタグＴａ〜ｚは、記憶しているボトル（すなわち貼り付けられているボトル）の個別情報、例えばボトルの製造番号（ロット番号）、ボトルの重量、ボトルの中に入っている薬品の種類等に関する情報等を発信し、アンテナ１４の少なくとも１つが受信する。そしてアンテナ１４は電磁シールドされた内側空間Ｚ内に配置されているので、シールド部Ｓが閉のときにアンテナ１４がＲＦＩＤタグから受信する電波は内側空間内のＲＦＩＤタグＴから発信された電波のみ（本実施形態では薬品保管庫１８以外にはＲＦＩＤタグは存在していないので、言い換えると薬品保管庫１８内のＲＦＩＤタグＴから発信された電波のみ）である。
【００４４】
その際、複数のアンテナ１４が収容部２０内の互いに異なる位置に配置されているので、各ボトルＢが収容部２０内のどの位置にあっても、各ボトルＢのＲＦＩＤタグＴａ〜ｚからの個別情報を受信することを確実に行える。
【００４５】
そして、管理部１６は、アンテナ１４で受信したボトルＢについての個別情報からボトルＢの在荷情報を得ることができる。また、管理部１６は、在荷情報からボトルＢの監視情報を作成することができる。この監視情報は、管理部１６から、外部通信ユニット１７を通じて、例えば本体１８ａの外部の所定の情報ステーション（集中監視センターなど）に、無線または有線により送信することができる。
【００４６】
そして、シャッター２４が閉められた状態では内側空間Ｚは完全に電磁シールドされている。従って、アンテナ１４は、内側空間Ｚの外（すなわちシールド部Ｓの外）のＲＦＩＤタグから発信された信号を誤読することがない。
【００４７】
よって、電磁シールド内の管理システム１０は、ＲＦＩＤタグＴが付けられた保管対象物Ｈが電磁シールド内から出し入れされることを正確に管理することができ、内側空間Ｚ内のＲＦＩＤタグＴ（すなわち薬品保管庫１８内のＲＦＩＤタグＴａ〜ｚ）からの信号に基づき正確な在荷情報の取得や状態監視などを管理部１６が容易に行える。また、持ち出された日時および返却された日時を管理部１６が記録することで、薬品保管庫１８に収容されていなかった日時と時間を把握でき、薬品の品質管理に利用することができる。
【００４８】
また、薬品保管庫１８として冷蔵庫などの市販品を用いることが可能である。従って、電磁シールド内の管理システム１０を、構成が簡素で安価にすることが可能である。この場合、アンテナ１４を収容部内に設置するように工事を行うことが、アンテナ１４の受信性を良くする上で好ましい。
【００４９】
この場合、例えば市販の小型の冷蔵庫を用い、家庭や薬局の薬の管理を行うことも可能である。すなわち、冷蔵庫内の薬品が収容された日時に基づいて、管理部１６や外部通信ユニット１７の送信先（情報ステーションなど）から使用期限を越えた薬品を交換すべきメッセージが出されるようにしてもよい。
【００５０】
また、本実施形態では、薬品保管庫１８内の保管対象物Ｈ（ボトルＢａ〜ｚ）の持ち出した履歴を常にとることができる。
【００５１】
なお、本実施形態では、シールド部Ｓが形成する内側空間Ｚ内に薬品保管庫１８が位置する例で説明したが、薬品保管庫１８以外のもの（一般の保管庫や試験槽など）を設置してその中に保管対象物Ｈを収容させてもよく、更には、内側空間Ｚに保管対象物Ｈを直接に収容させて管理部１６で管理する形態にすることも可能である。
【００５２】
すなわち、図２に示すように、内側空間Ｚを電磁シールドする開閉可能なシールド部Ｓと、内側空間Ｚに配置され、内側空間Ｚの保管対象物Ｈ１〜Ｈ４（保管対象物が４つの場合で説明するが、特に４つに限定されない）にそれぞれ付けられたＲＦＩＤタグＴ１〜Ｔ４からの電波を受信する受信部Ａ（例えばアンテナ部）と、受信部Ａで受信した信号に基づいて内側空間Ｚからの保管対象物Ｈ１〜Ｈ４の出入を管理する管理部Ｍとを備えた電磁シールド内の管理システムＧとしてもよい。これにより、ＲＦＩＤタグＴ１〜Ｔ４がそれぞれ付けられた保管対象物Ｈ１〜Ｈ４（例えば製品や試薬）が電磁シールド内から出し入れされることを正確に管理することができる電磁シールド内の管理システムＧとすることができる。更には、外部の所定の情報ステーションに送信する外部通信ユニットＵが管理部Ｍに接続されていてもよい。
【００５３】
更に、電磁シールド内の管理システムＧでは、後述のインターロックを設けることで許可された者以外はシールド部Ｓを開けられない構成にしてもよいし、後述のウエブカメラを設けることで、不審者も含めて誰がアクセスしたかを記録する構成にしてもよい。
【００５４】
［第２実施形態］
次に、第２実施形態を説明する。図３は、第２実施形態に係る電磁シールド内の管理システムを示す模式的な斜視図である。本実施形態に係る電磁シールド内の管理システム３０は、第１実施形態に比べ、許可された者であると認識するとシャッター２４を開くことを可能にするインターロック３２を更に備える。
【００５５】
本実施形態では、具体的には、シールド部Ｓの上面にモニタ表示部３４を備えており、使用者が画面にタッチして暗証番号を入力することでインターロック３２によるシャッター２４が解錠される（施錠が解除される）。そして、シャッター２４が開かれて閉じたとき、および、シャッター２４が解錠されても一定時間の間にシャッター２４が開かれなかったときには、シャッター２４が施錠される。
【００５６】
モニタ表示部３４の脚部の根元３４ｂには防磁構造が施され、シールド部Ｓの外側から根元３４ｂを介して電磁波が内側空間Ｚに混入することや内側空間Ｚから漏出することが防止されている。
【００５７】
また、モニタ表示部３４と管理部１６とインターロック動作機構３２ｍとは、電磁シールドの外側（内側空間Ｚの外側）で相互に無線通信することができるが、有線ケーブルで接続して通信することも可能である。
【００５８】
本実施形態により、許可された者以外がシャッター２４を開けることを簡単に防止することができる。
【００５９】
なお、モニタ表示部３４は、カラーの液晶表示部であってもよく、使用者が画面にタッチすることで、各種の情報の表示や、本体１８ａに対して指示する項目等を入力することが可能になっていてもよい。また、モニタ表示部３４は、上面に対して、脚部により支持されており、モニタ表示部３４の位置と姿勢は、脚部を用いて、自在に変更することができる構成であってもよい。また、モニタ表示部３４は、薬品保管庫１８内の状況（例えば保管状況や温度状況）を表示してもよい。
【００６０】
また、本実施形態では、インターロック３２のロック解除（すなわちシャッター２４の解錠）として暗証番号を入力する例で説明したが、図４に示すように、認証カード４０をカードリーダ４２に近づけることでロック解除する構成や、図５に示すように、指紋認証部４６に指を近づけることでロック解除する構成にしてもよい。更には、カメラ４８を備えて顔認証によりロック解除する構成にしてもよい。
【００６１】
［第３実施形態］
次に、第３実施形態を説明する。図６は、本実施形態に係る電磁シールド内の管理システムを示す模式的な斜視図である。
【００６２】
本実施形態に係る電磁シールド内の管理システム５０は、第２実施形態に比べ、ウエブカメラ５２（監視カメラ）を更に備える。このウエブカメラ５２は、モニタ表示部３４へのアクセスを感知すると撮影を開始し、録画、或いは、撮影画像の管理部１６への転送を行う。このように管理部１６に転送された場合には、管理部１６はこの撮影画像を外部通信ユニット１７を通じて集中監視センターへ転送する。モニタ表示部３４を利用して、集中監視センターとアクセス者とが互いに相手の顔を見ながら問い合わせることが可能であってもよい。
【００６３】
ウエブカメラ５２と管理部１６とは無線通信を行うが、有線ケーブルで接続して通信することも可能である。
【００６４】
本実施形態により、不審者がアクセスしたときの記録をとることが容易であり、安全管理上で更に好ましい。
【００６５】
なお、ウエブカメラ５２で第２実施形態のように顔認証も行わせることも可能であり、これにより、暗証番号の入力作業を省くことが可能になる。
【００６６】
［第４実施形態］
次に、第４実施形態を説明する。図７は、本実施形態に係る電磁シールド内の管理システムを示す模式的な斜視図である。本実施形態に係る電磁シールド内の管理システム６０は、第１実施形態に比べ、シールド部Ｓによって覆われた内側空間を排気する排気ラインＥＬを備える。この排気ラインＥＬは、シールド部Ｓの下側に隣接するガラリー６２を備えるとともにシールド部Ｓの上側に隣接する排気ファン６４を備えており、大気がガラリー６２から内側空間を経由して排気ファン６４から排出される。なお、シールド部Ｓによって覆われた内側空間に給気する給気ラインを更に備えてもよく、これにより、給排気を高速でかつ効率良く行うことができる。
【００６７】
これにより、シールド部Ｓによって覆われた内側空間で薬品保管庫等の発熱が生じても、内側空間Ｚの温度上昇を効果的に抑えることができる。
【００６８】
［第５実施形態］
次に、第５実施形態を説明する。図８は、本実施形態に係る電磁シールド内の管理システムを示す模式的な斜視図である。
【００６９】
本実施形態に係る電磁シールド内の管理システム７０は、第１実施形態に比べ、シールド部Ｓ内に重量計７２を備える。重量計７２は、例えば、電子天秤や上皿秤である。
【００７０】
重量計７２は、管理部１６に有線ケーブルＪによって接続されており、測定結果が管理部１６に送信される。この有線ケーブルＪはシールド部Ｓを貫通している。そして、有線ケーブルＫと同様、シールド部Ｓでは、有線ケーブルＪの貫通部分に漏磁防止策が施されて貫通部分と有線ケーブルＪとの隙間から内側空間Ｚに電磁波が入らない構成にされているとともに、有線ケーブルＪは防磁ケーブルにされシールド部Ｓの外側から有線ケーブルＪを介して電磁波が内側空間Ｚに混入することや内側空間Ｚから漏出することが防止されている。
【００７１】
本実施形態では、保管対象物であるボトルＢ（Ｂａ〜ｚ）を使用者がシールド部Ｓから取り出して使用した後、薬品保管庫１８に戻す際に重量計７２に載せて重量測定させることを使用者に義務付けている。
【００７２】
これにより、使用した薬品量を管理部１６が算出することができる。このことは、規定重量以上の劇薬を持ち出すことを禁止する上で有効であり、危険物保管庫の外部監視として利用できる。
【００７３】
なお、取り出したボトルＢを薬品保管庫１８に戻す際、重量計７２で重量測定がなされていない場合には、薬品保管庫１８に入れようとするとアラームなどの警告が出される構成にしてもよく、これにより重量測定漏れが防止されている。
【００７４】
また、重量計７２をシールド部Ｓの外に隣接させて予め配置しておき重量測定をさせることや、重量計７２を薬品保管庫１８内に収容しておき、重量測定時には内側空間Ｚから外に持ち出して重量測定し測定後に薬品保管庫１８内に戻させることを規定してもよい。
【００７５】
以上、いくつかの実施形態を例に挙げて説明したが、これらの実施形態は本発明の技術的思想を具体化するための例示であって、構成部品の材質、形状、構造、配置等を上記実施形態に特定するものではなく、要旨を逸脱しない範囲内で種々変更して実施できる。
【符号の説明】
【００７６】
１０  電磁シールド内の管理システム
１４  アンテナ
１６  管理部
１７  外部通信ユニット
１８  薬品保管庫（保管庫）
１８ｘ  冷蔵庫
１８ｙ  低温恒温槽
１８ｚ  インキュベータ
２４  シャッター
３０  電磁シールド内の管理システム
３２  インターロック
３４  モニタ表示部
５０  電磁シールド内の管理システム
５２  監視カメラ
６０  電磁シールド内の管理システム
７０  電磁シールド内の管理システム
７２  重量計
Ａ  受信部
ＥＬ  排気ライン
Ｇ  電磁シールド内の管理システム
Ｈ  保管対象物
Ｈ１〜Ｈ４  保管対象物
Ｋ  有線ケーブル
Ｊ  有線ケーブル
Ｍ  管理部
Ｓ  シールド部
Ｔ  ＲＦＩＤタグ
Ｔａ〜Ｔｚ  ＲＦＩＤタグ
Ｕ  外部通信ユニット
Ｚ  内側空間
【図１】
2019059572.tif 000003
【図２】
2019059572.tif 000004
【図３】
2019059572.tif 000005
【図４】
2019059572.tif 000006
【図５】
2019059572.tif 000007
【図６】
2019059572.tif 000008
【図７】
2019059572.tif 000009
【図８】
2019059572.tif 000010
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
内側空間を電磁シールドする開閉可能なシールド部と、
前記シールド部内に、前記シールド部とは別体に設けられ、保管対象物を保管する保管庫と、
前記内側空間内に配置され、前記保管対象物に付けられたＲＦＩＤのタグからの電波を受信する受信部と、
前記シールド部が閉にされることにより前記内側空間に外からの電磁波が入らないときに前記受信部で受信した信号に基づいて前記内側空間からの前記保管対象物の出入を管理する管理部と
を備えることを特徴とする電磁シールド内の管理システム。
【請求項２】
前記受信部が前記保管庫内に配置されたことを特徴とする請求項１に記載の電磁シールド内の管理システム。
【請求項３】
前記保管庫のハウジングが電磁シールド機能を有さず、前記受信部が前記保管庫外に配置されたことを特徴とする請求項１に記載の電磁シールド内の管理システム。
【請求項４】
許可された者からのアクセスであると認識されると、前記シールド部を構成する開閉部を解錠するインターロックを備えることを特徴とする請求項１〜３の何れか１項に記載の電磁シールド内の管理システム。
【請求項５】
前記管理部は前記シールド部の外側に配置され、
前記受信部と前記管理部とは、前記シールド部を貫通する有線ケーブルで接続されていることを特徴とする請求項４に記載の電磁シールド内の管理システム。
【請求項６】
前記管理部に接続された外部通信ユニットを備え、前記管理部の情報が前記外部通信ユニットから外部へ送信可能であることを特徴とする請求項５に記載の電磁シールド内の管理システム。
【請求項７】
前記管理部と通信可能でありアクセスを感知すると撮影を開始する監視カメラを備えることを特徴とする請求項６に記載の電磁シールド内の管理システム。
【請求項８】
前記保管庫として冷蔵庫、冷凍庫、インキュベータ、または、試験槽を備えることを特徴とする請求項７に記載の電磁シールド内の管理システム。
【請求項９】
前記保管庫として薬品を保管する薬品保管庫を備えることを特徴とする請求項７に記載の電磁シールド内の管理システム。
【請求項１０】
前記シールド部は前記保管庫のドア側にシャッターを開閉部として備えており、
前記シャッターを開くと前記保管庫の前記ドアが前記開閉部から前記シールド部の外側にまで開くことが可能になることを特徴とする請求項７〜９の何れか１項に記載の電磁シールド内の管理システム。
【請求項１１】
前記受信部としてアンテナが配置されたことを特徴とする請求項７〜１０の何れか１項に記載の電磁シールド内の管理システム。
【請求項１２】
前記保管庫内の状況を表示する表示部を備えることを特徴とする請求項７〜１１の何れか１項に記載の電磁シールド内の管理システム。
【請求項１３】
前記内側空間を排気する排気ラインと、前記内側空間に給気する給気ラインとを備えることを特徴とする請求項７〜１２の何れか１項に記載の電磁シールド内の管理システム。
【請求項１４】
前記管理部と通信可能で前記保管対象物の重量を測定する重量計を備えることを特徴とする請求項７〜１３の何れか１項に記載の電磁シールド内の管理システム。